(57)【要約】【課題】都度課金により、ユーザが真に必要とする価値あるイベント情報及び位置情報を提供しナビゲーションに利用させることにより、情報の実際の活用率を効果的に改善する技術すなわちサーバシステム、情報処理装置・方法及びプログラム、ナビゲーション装置・システム・方法及びプログラムを提供する。【解決手段】パソコンＰの要求発行部６１は、所望のイベントデータを要求する。サーバシステムＳでは、課金要求部７２が、前記所望のイベントデータに対するデータ料金すなわち課金額をパソコンＰに返信する。サーバシステムＳのデータ提供部７３は、パソコンＰから課金了承の応答を得た場合に、その施設のイベントデータと、位置データと、その施設の利用における特典ポイントのデータと、をパソコンＰへ送信する。パソコンＰの表示転送部６４は、ダウンロードした前記イベントデータを表示し、ダウンロードした位置データを目的地としてナビゲーションに提供し、また、特典ポイントのデータをメモリスロット６６から着脱可能な記憶媒体１７に書き込む。【選択図】　図１
2004126755.tif 000002
【特許請求の範囲】
【請求項１】
コンピュータが、
施設のイベントデータ及び位置データを格納する手段と、
予め登録されたユーザが用いるクライアントシステムから、通信ネットワーク経由でのアクセスを通じ、所望のイベントデータの要求を受け付ける手段と、
前記所望のイベントデータに対する課金額を、前記クライアントシステムに返信する手段と、
前記クライアントシステムから課金了承の応答を得た場合に、前記所望のイベントデータ及び位置データをそのクライアントシステムへ送信する送信手段と、
を備えたことを特徴とするサーバシステム。
【請求項２】
コンピュータが、
所定のサーバシステムに対しクライアントシステムとして、通信ネットワーク経由でのアクセスを通じ、所望のイベントデータを要求する手段と、
前記要求に対し前記サーバシステムから返信される課金額を表示し、課金了承の操作を受け付けるとその旨の応答を前記サーバシステムに送る手段と、
前記サーバシステムから提供されるイベントデータ及び位置データをダウンロードするダウンロード手段と、
ダウンロードした前記イベントデータを表示する手段と、
ダウンロードした前記位置データを所定のナビゲーション装置に提供するための手段と、
を備えたことを特徴とする情報処理装置。
【請求項３】
コンピュータが、与えられた目的地までの経路を、予め記憶された道路データに基いて計算及び誘導するナビゲーション手段を備えたナビゲーション装置において、
前記コンピュータはさらに、
所定のサーバシステムに対しクライアントシステムとして、通信ネットワーク経由でのアクセスを通じ、所望のイベントデータを要求する手段と、
前記要求に対し前記サーバシステムから返信される課金額を表示し、課金了承の操作を受け付けるとその旨の応答を前記サーバシステムに送る手段と、
前記サーバシステムから提供されるイベントデータ及び位置データをダウンロードするダウンロード手段と、
ダウンロードした前記イベントデータを表示する手段と、
ダウンロードした前記位置データを前記ナビゲーション手段に対し前記目的地として与える手段と、
を備えたことを特徴とするナビゲーション装置。
【請求項４】
前記送信手段は、前記イベントデータ及び位置データとともにその施設の利用における特典ポイントのデータを前記クライアントシステムに送信するように構成されたことを特徴とする請求項１記載のサーバシステム。
【請求項５】
前記ダウンロード手段は、前記イベントデータ及び位置データとともにその施設の利用における特典ポイントのデータを、前記サーバシステムからダウンロードするように構成され、
前記コンピュータは、
ダウンロードした前記特典ポイントのデータを、着脱可能な記憶媒体に書き込む手段を備えたことを特徴とする請求項２記載の情報処理装置。
【請求項６】
前記ダウンロード手段は、前記イベントデータ及び位置データとともにその施設の利用における特典ポイントのデータを、前記サーバシステムからダウンロードするように構成され、
前記コンピュータは、
ダウンロードした前記特典ポイントのデータを、着脱可能な記憶媒体に書き込む手段を備えたことを特徴とする請求項３記載のナビゲーション装置。
【請求項７】
請求項１又は４のサーバシステムと、
請求項２又は５の情報処理装置と、
を備えたことを特徴とするナビゲーションシステム。
【請求項８】
請求項１又は４のサーバシステムと、
請求項３又は６のナビゲーション装置と、
を備えたことを特徴とするナビゲーションシステム。
【請求項９】
施設のイベントデータ及び位置データをあらかじめ格納したコンピュータが、サーバシステムとして、
予め登録されたユーザが用いるクライアントシステムから、通信ネットワーク経由でのアクセスを通じ、所望のイベントデータの要求を受け付け、
前記所望のイベントデータに対する課金額を、前記クライアントシステムに返信し、
前記クライアントシステムから課金了承の応答を得た場合に、前記所望のイベントデータ及び位置データをそのクライアントシステムへ送信する送信処理を行うことを特徴とする情報処理方法。
【請求項１０】
コンピュータが、
所定のサーバシステムに対しクライアントシステムとして、通信ネットワーク経由でのアクセスを通じ、所望のイベントデータを要求し、
前記要求に対し前記サーバシステムから返信される課金額を表示し、課金了承の操作を受け付けるとその旨の応答を前記サーバシステムに送り、
前記サーバシステムから提供されるイベントデータ及び位置データをダウンロードするダウンロード処理を行い、
ダウンロードした前記イベントデータを表示し、
ダウンロードした前記位置データを所定のナビゲーション装置に提供することを特徴とする情報処理方法。
【請求項１１】
コンピュータが、与えられた目的地までの経路を、予め記憶された道路データに基いて計算及び誘導するナビゲーション処理を行うナビゲーション方法において、
前記コンピュータはさらに、
所定のサーバシステムに対しクライアントシステムとして、通信ネットワーク経由でのアクセスを通じ、所望のイベントデータを要求し、
前記要求に対し前記サーバシステムから返信される課金額を表示し、課金了承の操作を受け付けるとその旨の応答を前記サーバシステムに送り、
前記サーバシステムから提供されるイベントデータ及び位置データをダウンロードするダウンロード処理を行い、
ダウンロードした前記イベントデータを表示し、
ダウンロードした前記位置データを前記ナビゲーション処理に対し前記目的地として与えることを特徴とするナビゲーション方法。
【請求項１２】
前記送信処理は、前記イベントデータ及び位置データとともにその施設の利用における特典ポイントのデータを前記クライアントシステムに送信することを特徴とする請求項９記載の情報処理方法。
【請求項１３】
前記ダウンロード処理は、前記イベントデータ及び位置データとともにその施設の利用における特典ポイントのデータを、前記サーバシステムからダウンロードし、
前記コンピュータは、
ダウンロードした前記特典ポイントのデータを、着脱可能な記憶媒体に書き込むことを特徴とする請求項１０記載の情報処理方法。
【請求項１４】
前記ダウンロード処理は、前記イベントデータ及び位置データとともにその施設の利用における特典ポイントのデータを、前記サーバシステムからダウンロードし、
前記コンピュータは、
ダウンロードした前記特典ポイントのデータを、着脱可能な記憶媒体に書き込むことを特徴とする請求項１１記載のナビゲーション方法。
【請求項１５】
請求項９又は１２の情報処理方法と、
請求項１０又は１３の情報処理方法と、
を含むことを特徴とするナビゲーション方法。
【請求項１６】
請求項９又は１２の情報処理方法と、
請求項１１又は１４のナビゲーション方法と、
を含むことを特徴とするナビゲーション方法。
【請求項１７】
施設のイベントデータ及び位置データをあらかじめ格納したコンピュータを制御することにより、サーバシステムとして、
予め登録されたユーザが用いるクライアントシステムから、通信ネットワーク経由でのアクセスを通じ、所望のイベントデータの要求を受け付けさせ、
前記所望のイベントデータに対する課金額を、前記クライアントシステムに返信させ、
前記クライアントシステムから課金了承の応答を得た場合に、前記所望のイベントデータ及び位置データをそのクライアントシステムへ送信する送信処理を行わせることを特徴とする情報処理プログラム。
【請求項１８】
コンピュータを制御することにより、
所定のサーバシステムに対しクライアントシステムとして、通信ネットワーク経由でのアクセスを通じ、所望のイベントデータを要求させ、
前記要求に対し前記サーバシステムから返信される課金額を表示させ、課金了承の操作を受け付けるとその旨の応答を前記サーバシステムに送らせ、
前記サーバシステムから提供されるイベントデータ及び位置データをダウンロードするダウンロード処理を行わせ、
ダウンロードした前記イベントデータを表示させ、
ダウンロードした前記位置データを所定のナビゲーション装置に提供させることを特徴とする情報処理プログラム。
【請求項１９】
コンピュータを制御することにより、与えられた目的地までの経路を、予め記憶された道路データに基いて計算及び誘導するナビゲーション処理を行わせるナビゲーションプログラムにおいて、
そのプログラムは前記コンピュータにさらに、
所定のサーバシステムに対しクライアントシステムとして、通信ネットワーク経由でのアクセスを通じ、所望のイベントデータを要求させ、
前記要求に対し前記サーバシステムから返信される課金額を表示させ、課金了承の操作を受け付けるとその旨の応答を前記サーバシステムに送らせ、
前記サーバシステムから提供されるイベントデータ及び位置データをダウンロードするダウンロード処理を行わせ、
ダウンロードした前記イベントデータを表示させ、
ダウンロードした前記位置データを前記ナビゲーション処理に対し前記目的地として与えさせることを特徴とするナビゲーションプログラム。
【請求項２０】
前記送信処理は、前記イベントデータ及び位置データとともにその施設の利用における特典ポイントのデータを前記クライアントシステムに送信することを特徴とする請求項１７記載の情報処理プログラム。
【請求項２１】
前記ダウンロード処理は、前記イベントデータ及び位置データとともにその施設の利用における特典ポイントのデータを、前記サーバシステムからダウンロードし、
前記プログラムは前記コンピュータに、
ダウンロードした前記特典ポイントのデータを、着脱可能な記憶媒体に書き込ませることを特徴とする請求項１８記載の情報処理プログラム。
【請求項２２】
前記ダウンロード処理は、前記イベントデータ及び位置データとともにその施設の利用における特典ポイントのデータを、前記サーバシステムからダウンロードし、
前記プログラムは前記コンピュータに、
ダウンロードした前記特典ポイントのデータを、着脱可能な記憶媒体に書き込ませることを特徴とする請求項１９記載のナビゲーションプログラム。
【発明の詳細な説明】
【０００１】
【発明の属する技術分野】
本発明は、都度課金により、ユーザが真に必要とする価値あるイベント情報及び位置情報を提供しナビゲーションに利用させることにより、情報の実際の活用率を効果的に改善する技術すなわちサーバシステム、情報処理装置・方法及びプログラム、ナビゲーション装置・システム・方法及びプログラムに関するものである。
【０００２】
【従来の技術】
近年、ＧＰＳ（Ｇｌｏｂａｌ　Ｐｏｓｉｔｉｏｎｉｎｇ　Ｓｙｓｔｅｍ）や携帯電話等の無線通信ネットワークなど、広域的利用を前提としたデジタル技術が急速に進歩し、コンピュータを用いた移動型情報処理装置が普及しつつある。その代表として、自動車の分野では、ＧＰＳを用いたナビゲーション装置があり、また、携帯端末の分野では、いわゆる携帯情報端末（ＰＤＡ：Ｐｅｒｓｏｎａｌ　Ｄｉｇｉｔａｌ　Ａｓｓｉｓｔａｎｔ）や、ＧＰＳによる位置把握機能付携帯電話端末などがある。
【０００３】
このうち例えば、ナビゲーション装置は、指定された目的地への最適な経路を、予め用意した道路データに基づいて計算・設定し、自車位置をリアルタイムに検出して周辺地図と一緒に画面表示しながら、各交差点における右左折等の誘導案内を車両の進行に応じて画面表示や合成音声などで出力するものである。このような技術は、上記のようなＰＤＡなどの携帯端末にも取り入れられ、これら情報機器間の種類の境界は事実上あいまいになっている。
【０００４】
また、上記のような各種の移動型情報処理装置と通信ネットワークを組み合わせた応用技術として、従来、次のような提案も見られる。
【０００５】
（１）車のユーザに広告を閲覧させると共に、店舗等の位置をナビゲーション装置に伝え、経路の計算と誘導をさせる（例えば、特許文献１参照。）。
【０００６】
（２）参加者が携帯端末でゲームに参加し、ＧＰＳ等で特定される参加者の位置周辺の地図を携帯端末に表示させると共に、ゲーム内容に応じた現実の店舗等を携帯端末に伝達し、その場所で所定の課題を達成すると商品購入補助などに使える特典ポイントを与える（例えば、特許文献２参照。）。
【０００７】
【特許文献１】
特開２００２−５５９０３号公報
【特許文献２】
特開２００２−４９６８１号公報
【０００８】
【発明が解決しようとする課題】
しかしながら、上記のような従来技術は、広告やゲーム等の情報をユーザに無償で際限なく提供し、事実上、店舗利用等の消費活動に誘導することを期待するもので、実際にはユーザはあまり関心のない広告情報の渦にとまどう結果となりがちで、サーバや通信ネットワークなどのコンピュータ資源を激しく費消する割には、情報の実際の活用率は伸びず、プロモーション効果も不十分という問題点があった。
【０００９】
本発明は、上記のような従来技術の問題点を解決するために提案されたもので、その目的は、都度課金により、ユーザが真に必要とする価値あるイベント情報（イベントデータ）及び位置情報（位置データ）を提供しナビゲーションに利用させることにより、情報の実際の活用率を効果的に改善する技術すなわちサーバシステム、情報処理装置・方法及びプログラム、ナビゲーション装置・システム・方法及びプログラムを提供することである。
【００１０】
また、本発明の他の目的は、イベント情報と共に特典ポイントのデータを与えることにより、強力なプロモーション効果を得る技術を提供することである。
【００１１】
【課題を解決するための手段】
上記の目的を達成するため、請求項１のサーバシステムは、コンピュータが、施設のイベントデータ及び位置データを格納する手段と、予め登録されたユーザが用いるクライアントシステムから、通信ネットワーク経由でのアクセスを通じ、所望のイベントデータの要求を受け付ける手段と、前記所望のイベントデータに対する課金額を、前記クライアントシステムに返信する手段と、前記クライアントシステムから課金了承の応答を得た場合に、前記所望のイベントデータ及び位置データをそのクライアントシステムへ送信する送信手段と、を備えたことを特徴とする。
【００１２】
請求項９の情報処理方法は、請求項１の発明を方法という見方から捉えたもので、施設のイベントデータ及び位置データをあらかじめ格納したコンピュータが、サーバシステムとして、予め登録されたユーザが用いるクライアントシステムから、通信ネットワーク経由でのアクセスを通じ、所望のイベントデータの要求を受け付け、前記所望のイベントデータに対する課金額を、前記クライアントシステムに返信し、前記クライアントシステムから課金了承の応答を得た場合に、前記所望のイベントデータ及び位置データをそのクライアントシステムへ送信する送信処理を行うことを特徴とする。
【００１３】
請求項１７の情報処理プログラムは、請求項１，９の発明をコンピュータのプログラムという見方から捉えたもので、施設のイベントデータ及び位置データをあらかじめ格納したコンピュータを制御することにより、サーバシステムとして、予め登録されたユーザが用いるクライアントシステムから、通信ネットワーク経由でのアクセスを通じ、所望のイベントデータの要求を受け付けさせ、前記所望のイベントデータに対する課金額を、前記クライアントシステムに返信させ、前記クライアントシステムから課金了承の応答を得た場合に、前記所望のイベントデータ及び位置データをそのクライアントシステムへ送信する送信処理を行わせることを特徴とする。
【００１４】
請求項２の情報処理装置は、コンピュータが、所定のサーバシステムに対しクライアントシステムとして、通信ネットワーク経由でのアクセスを通じ、所望のイベントデータを要求する手段と、前記要求に対し前記サーバシステムから返信される課金額を表示し、課金了承の操作を受け付けるとその旨の応答を前記サーバシステムに送る手段と、前記サーバシステムから提供されるイベントデータ及び位置データをダウンロードするダウンロード手段と、ダウンロードした前記イベントデータを表示する手段と、ダウンロードした前記位置データを所定のナビゲーション装置に提供するための手段と、を備えたことを特徴とする。
【００１５】
請求項１０の情報処理方法は、請求項２の発明を方法という見方から捉えたもので、コンピュータが、所定のサーバシステムに対しクライアントシステムとして、通信ネットワーク経由でのアクセスを通じ、所望のイベントデータを要求し、前記要求に対し前記サーバシステムから返信される課金額を表示し、課金了承の操作を受け付けるとその旨の応答を前記サーバシステムに送り、前記サーバシステムから提供されるイベントデータ及び位置データをダウンロードするダウンロード処理を行い、ダウンロードした前記イベントデータを表示し、ダウンロードした前記位置データを所定のナビゲーション装置に提供することを特徴とする。
【００１６】
請求項１８の情報処理プログラムは、請求項２，１０の発明をコンピュータのプログラムという見方から捉えたもので、コンピュータを制御することにより、所定のサーバシステムに対しクライアントシステムとして、通信ネットワーク経由でのアクセスを通じ、所望のイベントデータを要求させ、前記要求に対し前記サーバシステムから返信される課金額を表示させ、課金了承の操作を受け付けるとその旨の応答を前記サーバシステムに送らせ、前記サーバシステムから提供されるイベントデータ及び位置データをダウンロードするダウンロード処理を行わせ、ダウンロードした前記イベントデータを表示させ、ダウンロードした前記位置データを所定のナビゲーション装置に提供させることを特徴とする。
【００１７】
請求項３のナビゲーション装置は、コンピュータが、与えられた目的地までの経路を、予め記憶された道路データに基いて計算及び誘導するナビゲーション手段を備えたナビゲーション装置において、前記コンピュータはさらに、所定のサーバシステムに対しクライアントシステムとして、通信ネットワーク経由でのアクセスを通じ、所望のイベントデータを要求する手段と、前記要求に対し前記サーバシステムから返信される課金額を表示し、課金了承の操作を受け付けるとその旨の応答を前記サーバシステムに送る手段と、前記サーバシステムから提供されるイベントデータ及び位置データをダウンロードするダウンロード手段と、ダウンロードした前記イベントデータを表示する手段と、ダウンロードした前記位置データを前記ナビゲーション手段に対し前記目的地として与える手段と、を備えたことを特徴とする。
【００１８】
請求項１１の発明は、請求項３の発明を方法という見方から捉えたもので、コンピュータが、与えられた目的地までの経路を、予め記憶された道路データに基いて計算及び誘導するナビゲーション処理を行うナビゲーション方法において、前記コンピュータはさらに、所定のサーバシステムに対しクライアントシステムとして、通信ネットワーク経由でのアクセスを通じ、所望のイベントデータを要求し、前記要求に対し前記サーバシステムから返信される課金額を表示し、課金了承の操作を受け付けるとその旨の応答を前記サーバシステムに送り、前記サーバシステムから提供されるイベントデータ及び位置データをダウンロードするダウンロード処理を行い、ダウンロードした前記イベントデータを表示し、ダウンロードした前記位置データを前記ナビゲーション処理に対し前記目的地として与えることを特徴とする。
【００１９】
請求項１９の発明は、請求項３，１１の発明をコンピュータのプログラムという見方から捉えたもので、コンピュータを制御することにより、与えられた目的地までの経路を、予め記憶された道路データに基いて計算及び誘導するナビゲーション処理を行わせるナビゲーションプログラムにおいて、そのプログラムは前記コンピュータにさらに、所定のサーバシステムに対しクライアントシステムとして、通信ネットワーク経由でのアクセスを通じ、所望のイベントデータを要求させ、前記要求に対し前記サーバシステムから返信される課金額を表示させ、課金了承の操作を受け付けるとその旨の応答を前記サーバシステムに送らせ、前記サーバシステムから提供されるイベントデータ及び位置データをダウンロードするダウンロード処理を行わせ、ダウンロードした前記イベントデータを表示させ、ダウンロードした前記位置データを前記ナビゲーション処理に対し前記目的地として与えさせることを特徴とする。
【００２０】
本発明では、ユーザはサーバから、カーショップ（自動車用品店）のお買い得情報、レンタカー会社や観光地の地方自治体からのイベント案内など各種のイベントデータをリアルタイムにいち早く入手でき、位置データで即座にナビゲーションも可能である。また、都度課金により、ユーザが真に必要とする価値あるイベント情報及び位置情報を提供しナビゲーションに利用させることとなるので、情報の実際の活用率が効果的に改善される。さらに、サーバの運営者は、イベントデータの広告主とユーザの双方から広告に関する収入が発生する利点もあり、結果的にカーショップ等の広告主も、安い広告費用で宣伝と効果的集客が可能となる。
【００２１】
請求項４の発明は、請求項１記載のサーバシステムにおいて、前記送信手段は、前記イベントデータ及び位置データとともにその施設の利用における特典ポイントのデータを前記クライアントシステムに送信するように構成されたことを特徴とする。
【００２２】
請求項１２の発明は、請求項４の発明を方法という見方から捉えたもので、請求項９記載の情報処理方法において、前記送信処理は、前記イベントデータ及び位置データとともにその施設の利用における特典ポイントのデータを前記クライアントシステムに送信することを特徴とする。
【００２３】
請求項２０の発明は、請求項４，１２の発明をコンピュータのプログラムという見方から捉えたもので、請求項１７記載の情報処理プログラムにおいて、前記送信処理は、前記イベントデータ及び位置データとともにその施設の利用における特典ポイントのデータを前記クライアントシステムに送信することを特徴とする。
【００２４】
請求項５の発明は、請求項２記載の情報処理装置において、前記ダウンロード手段は、前記イベントデータ及び位置データとともにその施設の利用における特典ポイントのデータを、前記サーバシステムからダウンロードするように構成され、前記コンピュータは、ダウンロードした前記特典ポイントのデータを、着脱可能な記憶媒体に書き込む手段を備えたことを特徴とする。
【００２５】
請求項１３の発明は、請求項５の発明を方法という見方から捉えたもので、請求項１０記載の情報処理方法において、前記ダウンロード処理は、前記イベントデータ及び位置データとともにその施設の利用における特典ポイントのデータを、前記サーバシステムからダウンロードし、前記コンピュータは、ダウンロードした前記特典ポイントのデータを、着脱可能な記憶媒体に書き込むことを特徴とする。
【００２６】
請求項２１の発明は、請求項５，１３の発明をコンピュータのプログラムという見方から捉えたもので、請求項１８記載の情報処理プログラムにおいて、前記ダウンロード処理は、前記イベントデータ及び位置データとともにその施設の利用における特典ポイントのデータを、前記サーバシステムからダウンロードし、前記プログラムは前記コンピュータに、ダウンロードした前記特典ポイントのデータを、着脱可能な記憶媒体に書き込ませることを特徴とする。
【００２７】
請求項６の発明は、請求項３記載のナビゲーション装置において、前記ダウンロード手段は、前記イベントデータ及び位置データとともにその施設の利用における特典ポイントのデータを、前記サーバシステムからダウンロードするように構成され、前記コンピュータは、ダウンロードした前記特典ポイントのデータを、着脱可能な記憶媒体に書き込む手段を備えたことを特徴とする。
【００２８】
請求項１４の発明は、請求項６の発明を方法という見方から捉えたもので、請求項１１記載のナビゲーション方法において、前記ダウンロード処理は、前記イベントデータ及び位置データとともにその施設の利用における特典ポイントのデータを、前記サーバシステムからダウンロードし、前記コンピュータは、ダウンロードした前記特典ポイントのデータを、着脱可能な記憶媒体に書き込むことを特徴とする。
【００２９】
請求項２２の発明は、請求項６，１４の発明をコンピュータのプログラムという見方から捉えたもので、請求項１９記載のナビゲーションプログラムにおいて、前記ダウンロード処理は、前記イベントデータ及び位置データとともにその施設の利用における特典ポイントのデータを、前記サーバシステムからダウンロードし、前記プログラムは前記コンピュータに、ダウンロードした前記特典ポイントのデータを、着脱可能な記憶媒体に書き込ませることを特徴とする。
【００３０】
これらの態様では、施設に関するイベントデータと共に、課金額に応じた施設利用割引ポイントなど、その施設の利用で使える特典ポイントのデータが付与され、そのデータは着脱可能な記憶媒体に記憶しして広告主の施設に持参し、支払額精算の補助などに使用できるので、そのイベントデータや施設へのもともとの関心に加え、強力に利用が動機付けされプロモーション効果が増大する。
【００３１】
請求項７のナビゲーションシステムは、請求項１又は４のサーバシステムと、請求項２又は５の情報処理装置と、を備えたことを特徴とする。
【００３２】
請求項１５のナビゲーション方法は、請求項７の発明を方法という見方から捉えたもので、請求項９又は１２の情報処理方法と、請求項１０又は１３の情報処理方法と、を含むことを特徴とする。
【００３３】
請求項８のナビゲーションシステムは、請求項１又は４のサーバシステムと、請求項３又は６のナビゲーション装置と、を備えたことを特徴とする。
【００３４】
請求項１６のナビゲーション方法は、請求項８の発明を方法という見方から捉えたもので、請求項９又は１２の情報処理方法と、請求項１１又は１４のナビゲーション方法と、を含むことを特徴とする。
【００３５】
【発明の実施の形態】
次に、本発明の複数の実施の形態（以下「実施形態」と呼ぶ）について図面を参照して具体的に説明する。なお、各実施形態は、コンピュータをプログラムで制御することにより実現できるが、この場合のハードウェアやプログラムの実現態様は各種変更可能であるから、以下の説明では、本発明及び各実施形態の各機能を実現する仮想的回路ブロックを用いる。
【００３６】
〔１．第１実施形態の構成〕
第１実施形態は、図１に示すように、サーバシステムＳと、クライアントシステムとなるパソコンＰとを、携帯電話網Ｋ及びインターネットＮを含む通信ネットワーク（Ｋ，Ｎ）で接続するナビゲーションシステム（以下「本システム」と呼ぶ）であり、パソコンＰは自動車に搭載され、同じ自動車に搭載されたナビゲーション装置（以下「本装置」とも呼ぶ）Ｃが接続される。なお、本システムは、ナビゲーション装置Ｃを含めて考えてもよいし、含めずに考えてもよい。
【００３７】
また、第１実施形態では、上記のような物のカテゴリだけでなく、方法及びプログラム、そのようなプログラムを記録した記録媒体としても把握可能であって、そのようなプログラムをインターネットや携帯電話網などの通信ネットワーク経由で各車両のパソコンやナビゲーション装置にダウンロードして実行させることも本発明の一態様である。
【００３８】
〔１−１．ナビゲーション装置の全体構成〕
まず、ナビゲーション装置Ｃは、コンピュータが、与えられた目的地までの経路を、予め用意された道路データに基いて探索及び設定し、その経路に沿った各案内を車両の進行に応じて順次出力することによって、車両を目的地へ誘導するナビゲーション装置であり、図１の機能ブロック図に示す下記の各要素を備えている。
【００３９】
すなわち、絶対位置・方位検出部１は、ナビゲーション装置Ｃが搭載された自動車（自車と呼ぶ）の現在位置すなわち自車位置（車両位置とも呼ぶ）について、地表での絶対的な位置座標や方位を計算するために、例えば、ＧＰＳ衛星から送られてくるＧＰＳ電波をアンテナやレシーバなどで受信するための部分である。また、相対方位検出部２は、ジャイロなどを使って自車の相対的な方位を検出するための部分である。また、車速検出部３は、自動車より得られる車速パルスを処理することで自車の速度を計算する部分である。
【００４０】
また、メインＣＰＵ及びその周辺回路４は、ナビゲーション装置Ｃ全体を制御する制御回路の役割を果たす部分である。また、メモリ群Ｍは、ナビゲーション装置Ｃの動作に必要な各種のメモリで、例えば、プログラム格納用のＲＯＭ５はナビゲーション装置Ｃの起動時にメインＣＰＵによりアクセスされる。また、ワークエリアなどを提供するダイナミックＲＡＭ（ＤＲＡＭ）６にはメインプログラムがロードされる。また、設定などの情報をバックアップするＳＲＡＭ（スタティックＲＡＭ）７はメイン電源がオフになっている間もバッテリーバックアップされ、オンになったときにメモリ内容を提供する。また、表示用のＶＲＡＭ（ビデオＲＡＭ）８は表示部１０に表示すべき画像のビットマップデータを格納する。
【００４１】
また、表示部１０は、地図や操作メニューなど各種の情報を、図示しない液晶表示画面に表示する部分であり、音声合成との併用が望ましい。また、入力部１１は、ユーザがスイッチなどから命令などの情報を入力するための部分であり、タッチセンサ機能、リモコンユニット、赤外線送受信ユニットなどを備える。また、ユーザインタフェース部９は、Ｉ／Ｏ制御回路やデバイスドライバなどを使って、表示部１０及び入力部１１と、メインＣＰＵ及びその周辺回路４とを結ぶユーザインタフェースである。
【００４２】
また、ＣＤ／ＤＶＤ−ＲＯＭ制御部１２は、ＣＤ−ＲＯＭやＤＶＤ−ＲＯＭに記録された各種データをデータベースから読み出す手段であり、経路探索用に道路のネットワーク構造を表す道路データ、地図表示用に道路周辺の目標物や施設などを表す地図情報、交差点を含む案内地点のデータ、といった必要なデータを記憶した記憶手段であり、案内地点データには、交差点への進入方向に応じたレーン情報が含まれる。
【００４３】
また、ＦＭ多重受信及び処理部１３は、ＦＭ放送波を受信しこの放送波からＶＩＣＳサービスの交通情報など所望のデータを取り出す処理を行う部分であり、交通情報は渋滞情報を含む。また、光／ビーコン受信及び処理部１４は、路肩などに設置された光ビーコンや電波ビーコンから、各ビーコンの識別情報やＶＩＣＳサービスの交通情報などの情報を受信及び処理する部分である。また、音声認識部１５は、入力されるユーザの発声から命令語などの単語を認識する部分である。
【００４４】
また、メモリスロット１６は、パソコンＰから位置データをナビゲーション装置Ｃへ提供するための記憶媒体１７（例えば、コンパクトフラッシュメモリカード（登録商標）、メモリースティック（登録商標）など）を読み書きする手段であるが、位置データの提供はこれに代えて、例えば赤外線通信や通信ケーブルなど、図示しない他のローカル通信手段で行ってもよい。
【００４５】
〔１−２．メインＣＰＵ及びその周辺回路の役割〕
さらに、メインＣＰＵ及びその周辺回路４は、上記のようなプログラムに基くコンピュータの自律的制御処理により、図１に示す下記の各部分としての役割を実現するように構成されている。すなわち、現在位置検出部４０は、自車位置を逐次算出する手段であり、具体的には、ＧＰＳ航法測位と自律航法測位とを組み合わせることで自車位置及び進行方向を計算するように構成される。
【００４６】
ここで、ＧＰＳ航法測位は、人工衛星からの電波に基づいて絶対位置・方位検出部１で得られる情報を使って現在位置を計算するものである。また、自律航法測位は、地磁気及び自車の速度に基づいて相対方位検出部２及び車速検出部３から得られる情報を使って現在位置を計算するものである。
【００４７】
また、目的地指定部４１は、データベースからの施設検索や地図上でのカーソル指定などにより目的地の入力を受け付ける手段であり、経路設定部４２は、入力された目的地までの経路を前記道路データに基いて計算及び設定する手段である。また、地図表示部４３は、算出された前記自車位置及び前記道路データに基づいて、前記経路と前記自車位置とを含む周辺の地図を、表示部１０に二次元や三次元表示などで表示する手段である。また、案内部４４は、誘導案内を表示部１０に出力する手段であり、強調表示や合成音声なども用いる。
【００４８】
〔１−３．サーバとパソコンの構成〕
サーバシステムＳ及びパソコンＰでは、プログラムにより図１に示す各部分が実現され、各部分は下記のように作用する各手段として構成される。
【００４９】
〔２．第１実施形態の作用〕
すなわち、第１実施形態では、サーバシステムＳのデータ格納部７０は、配信対象とする施設について、テキストデータ等のイベントデータ、及び、座標値等の位置データを格納する。施設の数は自由であり、個々の施設についてイベントデータは単数でも複数でもよい。イベントデータには、位置データは通常付属するが、特典ポイントのデータは付属してもしなくてもよい。
【００５０】
そして、パソコンＰには携帯電話端末２４が接続され、パソコンＰの要求発行部６１は、課金のためのクレジットカード情報などに基くユーザー登録が既に行われていることを前提として、サーバシステムＳに対しクライアントシステムとして、携帯電話端末２４及び通信ネットワーク（Ｋ，Ｎ）経由でのアクセスを通じ、所望のイベントデータを要求（広告閲覧の申込）する。これに対応し、サーバシステムＳの要求受付部６１は、予め登録されたユーザが用いるクライアントシステムから、通信ネットワーク（Ｋ，Ｎ）経由でのアクセスを通じ、所望のイベントデータの要求を受け付ける。
【００５１】
ここで、第１実施形態における処理手順を図２に示す。すなわち、クライアントシステムであるパソコンＰとサーバシステムＳとの間において、所望のイベントデータを要求するまでのアクセス手順や画面推移は自由であるが、一例として、クライアント側からのメインメニュー要求に対し（ステップ１１）、サーバ側からメインメニューを送信し（ステップ２１）、同様にデータ一覧画面要求に対し（ステップ１２）データ一覧画面を送信し（ステップ２２）、その一覧画面からユーザが操作で選択したデータについて、要求が送信される（ステップ１３）。
【００５２】
すると、サーバシステムＳでは、受注処理のうえ（ステップ２３）、課金要求部７２が、前記所望のイベントデータに対するデータ料金すなわち課金額（広告の購入金額）を計算したうえ（ステップ２４）、その課金額をパソコンＰに返信する（ステップ２５）。ここで、課金額の決め方は自由で、１件当たり定額でもよいし、イベントデータのデータ量、ページ数や種別、価値のグレードなどに応じて都度変動するようにしてもよい。
【００５３】
上記のような課金額が返信されると、パソコンＰの課金確認部６２は、サーバシステムＳから返信された課金額を表示し、料金確認すなわち課金了承の操作を受け付けると（ステップ１４）、その旨の応答としてデータ送信要求をサーバシステムＳに送る（ステップ１５）。
【００５４】
これに対し、サーバシステムＳのデータ提供部７３は、パソコンＰから課金了承の応答を得た場合に、その施設のイベントデータと、対応する位置データと、その施設の利用における特典ポイントのデータと、をパソコンＰへ送信し（ステップ２６）、パソコンＰのダウンロード部６３は、このようにサーバシステムＳから提供されるデータを受信すなわちダウンロードする。
【００５５】
ここで、図３は、上記のようにサーバシステムＳからパソコンＰへダウンロードされるデータ内容の一例を示す図である。また、図４は、第１実施形態においてパソコンＰでの画面推移を示す図であり、情報の選択（ａ）（ｂ）から、詳細情報の表示（ｃ）（ｄ）や特価情報の表示（ｅ）へ進む例を表す。
【００５６】
さらに、パソコンＰの表示転送部６４は、ダウンロードした前記イベントデータを表示したうえ、ダウンロードした位置データを、メモリスロット６６から記憶媒体１７に書き込むことにより、又は前記ローカル通信回線経由で、ナビゲーション装置Ｃに、ナビゲーションの目的地として提供する。
【００５７】
一例としては、位置データの書き込まれた記憶媒体１７をパソコンＰのメモリスロット６６からナビゲーション装置Ｃのメモリスロット１６へ移すと、自動的に、又は所定の操作により、その位置データが読み出され、ナビゲーション装置ＣのメインＣＰＵ及びその周辺回路４では、そのような位置データを目的地として、そのような目的地までの経路を、予め記憶された道路データに基いて計算及び誘導する。
【００５８】
また、表示転送部６４は、ダウンロードした特典ポイントのデータについては、前記ローカル通信回線ではなく、ユーザがその施設に持参できるように、メモリスロット６６から着脱可能な記憶媒体１７に書き込む。
【００５９】
ユーザは、カーショップなどイベントデータの広告主となっている施設に、ナビゲーションにしたがって到着し、ポイントのデータが書き込まれた記憶媒体１７を所定の会計コーナー等に持参すると、ポイントのデータが所定の読み出し機器により読み出され、施設における買い物や飲食、観覧などの代金精算において、その一部に当てたり割引適用を受けるなど、所定の利益を得る。
【００６０】
〔３．第１実施形態の効果〕
以上のように、第１実施形態では、ユーザはサーバから、カーショップ（自動車用品店）のお買い得情報、レンタカー会社や観光地の地方自治体からのイベント情報といった各種のイベントデータをリアルタイムにいち早く入手でき、位置データで即座にナビゲーションも可能である。また、都度課金により、ユーザが真に必要とする価値あるイベント情報及び位置情報を提供しナビゲーションに利用させることとなるので、情報の実際の活用率が効果的に改善される。さらに、サーバの運営者は、イベントデータの広告主とユーザの双方から広告に関する収入が発生する利点もあり、結果的にカーショップ等の広告主も、安い広告費用で宣伝と効果的集客が可能となる。
【００６１】
また、第１実施形態では、施設に関するイベントデータと共に、課金額に応じた施設利用割引ポイントなど、その施設の利用で使える特典ポイントのデータが付与され、そのデータは着脱可能な記憶媒体に記憶させて広告主の施設に持参し、支払額精算の補助などに使用できるので、そのイベントデータや施設へのもともとの関心に加え、強力に利用が動機付けされプロモーション効果が増大する。
【００６２】
特に第１実施形態では、イベントデータのダウンロードに、ナビゲーション装置とは別体のパソコンＰを用いているので、既存のナビゲーション装置への適用や機能変更も容易である。
【００６３】
〔４．第２実施形態〕
また、上記実施形態において図１に示したパソコンＰに持たせていた各機能すなわち要求発行部、課金確認部、ダウンロード部、表示転送部は、図５に示すように、ナビゲーション装置に、要求発行部４５、課金確認部４６、ダウンロード部４７、表示転送部４８として持たせ、一体化してもよい。このようにすれば、パソコンＰは省略でき、コストやスペースが削減可能となる。この場合、ポイントのデータを記憶媒体１７に書き込む処理は、表示転送部４８がメモリスロット１６から行う。
【００６４】
〔５．他の実施形態〕
なお、本発明は上記各実施形態に限定されるものではなく、次に例示するような他の実施形態も含むものである。例えば、少なくともＦＭ多重受信及び処理部１３、光／ビーコン受信及び処理部１４、音声認識部１５は省略可能であるし、図２の処理手順も従来知られた各種のプログラミング技法で組替え可能である。
【００６５】
【発明の効果】
以上のように、この発明によれば、都度課金により、ユーザが真に必要とする価値あるイベント情報及び位置情報を提供しナビゲーションに利用させることにより、情報の実際の活用率を効果的に改善する技術すなわちサーバシステム、情報処理装置・方法及びプログラム、ナビゲーション装置・システム・方法及びプログラムを提供することができる。
【図面の簡単な説明】
【図１】本発明の第１実施形態の構成を示す機能ブロック図。
【図２】本発明の第１実施形態における処理手順を示すフローチャート。
【図３】本発明の実施形態においてダウンロードされるデータの例を示す図。
【図４】本発明の実施形態における画面推移を示す図。
【図５】本発明の第２実施形態の構成を示す図。
【符号の説明】
１…絶対位置・方位検出部
２…相対方位検出部
３…車速検出部
４…メインＣＰＵ及びその周辺回路
５…ＲＯＭ
６…ＤＲＡＭ
７…ＳＲＡＭ
８…ＶＲＡＭ
９…ユーザインタフェース部
１０…表示部
１１…入力部
１２…ＣＤ／ＤＶＤ−ＲＯＭ制御部
１３…ＦＭ多重受信及び処理部
１４…光／ビーコン受信及び処理部
１５…音声認識部
１６，６６…メモリスロット
１７…記憶媒体
２４…携帯電話端末
４０…現在位置検出部
４１…目的地指定部
４２…経路設定部
４３…地図表示部
４４…案内制御部
４５，６１…要求発行部
４６，６２…課金確認部
４７，６３…ダウンロード部
４８，６４…表示転送部
７０…データ格納部
７１…要求受付部
７２…課金要求部
７３…データ提供部
Ｍ…メモリ群
【図１】
2004126755.tif 000003
【図２】
2004126755.tif 000004
【図３】
2004126755.tif 000005
【図４】
2004126755.tif 000006
【図５】
2004126755.tif 000007